【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
パワースイッチング素子（２００）のオンオフを制御する駆動装置であって、
前記パワースイッチング素子のオン動作を行うオン側回路（１１０）と、前記パワースイッチング素子のオフ動作を行うオフ側回路（１２０）と、前記パワースイッチング素子の温度を検出する温度検出部（Ｄ）と、を備え、
前記オン側回路および前記オフ側回路の少なくとも一方の回路は、前記パワースイッチング素子のゲート電流を供給あるいは引き抜くための電流経路と、
前記ゲート電流を切り替えるスイッチ回路（ＳＷ１〜ＳＷ５，ＳＷ６〜ＳＷ１０）と、を有し、
前記オフ側回路は、
出力トランジスタとして前記電流経路を形成する複数のメインＭＯＳトランジスタ（Ｔｒ１０〜Ｔｒ１５）と、
前記メインＭＯＳトランジスタとゲートが共通で、前記メインＭＯＳトランジスタに対してカレントミラーを構成することによって、前記メインＭＯＳトランジスタのドレイン電流を規定するセンスＭＯＳトランジスタ（Ｔｒ２０）と、
前記センスＭＯＳトランジスタのドレイン電流を一定に制御するセンス電流制御回路（ＳＣ）と、を有し、
さらに、前記スイッチ回路は、前記メインＭＯＳトランジスタのゲートに接続され、前記メインＭＯＳトランジスタのオンオフを制御することにより前記パワースイッチング素子における前記ゲート電流を切り替えるように構成され、
該スイッチ回路は、前記ゲート電流の切り替え時において、前記パワースイッチング素子の温度に基づいて前記メインＭＯＳトランジスタのオン抵抗を制御し、前記ゲート電流を過渡的に変化させることを特徴とする駆動装置。
【請求項２】
前記電流経路は、少なくとも２つ存在し、
前記ゲート電流は、前記スイッチ回路によって前記電流経路が切り替わることによって変化することを特徴とする請求項１に記載の駆動装置。
【請求項３】
前記センス電流制御回路は、
参照電位（Ｖｒｅｆ）を発生させる参照電源（１２３）と、
前記センスＭＯＳトランジスタに直列接続された基準抵抗（１２２）と、
前記基準抵抗と前記センスＭＯＳトランジスタとの間の電位が前記参照電位に近づくように前記センスＭＯＳトランジスタのゲートに出力を発生させるオペアンプ（１２１）と、を有して、
前記センスＭＯＳトランジスタのドレイン電流として前記基準抵抗の抵抗値と前記参照電位とによって決まる電流を流すように構成されることを特徴とする請求項１または請求項２に記載の駆動装置。
【請求項４】
前記センス電流制御回路は、
前記センスＭＯＳトランジスタのゲートに出力を発生させるオペアンプ（１６１）と、
所定の電流を前記オペアンプの一方の入力端子に供給する電流源（Ｐ２）と、
前記オペアンプに対して前記電流源と並列接続された感温素子（１６４）と、を有して、
温度に依存する前記感温素子の電圧降下に基づいて、前記センスＭＯＳトランジスタのドレイン電流を変化させるように構成されることを特徴とする請求項１〜３のいずれか１項に記載の駆動装置。
【請求項５】
前記メインＭＯＳトランジスタは少なくとも３つ以上接続されて、前記ゲート電流が段階的に低下するとともに、
前記ゲート電流の切り替え時において、前記ゲート電流を過渡的に変化させることを特徴とする請求項１〜４のいずれか１項に記載の駆動装置。
【請求項６】
パワースイッチング素子（２００）のオンオフを制御する駆動装置であって、
前記パワースイッチング素子のオン動作を行うオン側回路（１１０）と、前記パワースイッチング素子のオフ動作を行うオフ側回路（１２０）と、前記パワースイッチング素子の温度を検出する温度検出部（Ｄ）と、を備え、
前記オン側回路および前記オフ側回路の少なくとも一方の回路は、前記パワースイッチング素子のゲート電流を供給あるいは引き抜くための電流経路と、
前記ゲート電流を切り替えるスイッチ回路（ＳＷ１〜ＳＷ５，ＳＷ６〜ＳＷ１０）と、を有し、
前記オン側回路は、
出力トランジスタとして前記電流経路を形成する複数のメインＭＯＳトランジスタ（Ｔｒ５０〜Ｔｒ５５）と、
前記メインＭＯＳトランジスタとゲートが共通で、前記メインＭＯＳトランジスタに対してカレントミラーを構成することによって、前記メインＭＯＳトランジスタのドレイン電流を規定するセンスＭＯＳトランジスタ（Ｔｒ６０）と、
前記センスＭＯＳトランジスタのドレイン電流を一定に制御するセンス電流制御回路（ＳＣ）と、を有し、
さらに、前記スイッチ回路は、前記メインＭＯＳトランジスタのゲートに接続され、前記メインＭＯＳトランジスタのオンオフを制御することにより前記パワースイッチング素子における前記ゲート電流を切り替えるように構成され、
該スイッチ回路は、前記ゲート電流の切り替え時において、前記パワースイッチング素子の温度に基づいて前記メインＭＯＳトランジスタのオン抵抗を制御し、前記ゲート電流を過渡的に変化させることを特徴とする駆動装置。
【請求項７】
前記電流経路は、少なくとも２つ存在し、
前記ゲート電流は、前記スイッチ回路によって前記電流経路が切り替わることによって変化することを特徴とする請求項６に記載の駆動装置。
【請求項８】
前記センス電流制御回路は、
参照電位（Ｖｒｅｆ）を発生させる参照電源（１１３）と、
前記センスＭＯＳトランジスタに直列接続された基準抵抗（１１２）と、
前記基準抵抗と前記センスＭＯＳトランジスタとの間の電位が前記参照電位に近づくように前記センスＭＯＳトランジスタのゲートに出力を発生させるオペアンプ（１１１）と、を有して、
前記センスＭＯＳトランジスタのドレイン電流として前記基準抵抗の抵抗値と前記参照電位とによって決まる電流を流すように構成されることを特徴とする請求項６または請求項７に記載の駆動装置。
【請求項９】
前記センス電流制御回路は、
前記センスＭＯＳトランジスタのゲートに出力を発生させるオペアンプ（１６１）と、
所定の電流を前記オペアンプの一方の入力端子に供給する電流源（Ｐ３）と、
前記オペアンプに対して前記電流源と並列接続された感温素子（１６４）と、を有して、
温度に依存する前記感温素子の電圧降下に基づいて、前記センスＭＯＳトランジスタのドレイン電流を変化させるように構成されることを特徴とする請求項６〜８のいずれか１項に記載の駆動装置。
【請求項１０】
前記メインＭＯＳトランジスタは少なくとも３つ以上接続されて、前記ゲート電流が段階的に低下するとともに、
前記ゲート電流の切り替え時において、前記ゲート電流を過渡的に変化させることを特徴とする請求項６〜９のいずれか１項に記載の駆動装置。
【手続補正２】
【補正対象書類名】明細書
【補正対象項目名】００１１
【補正方法】変更
【補正の内容】
【００１１】
パワースイッチング素子（２００）のオンオフを制御する駆動装置であって、パワースイッチング素子のオン動作を行うオン側回路（１１０）と、パワースイッチング素子のオフ動作を行うオフ側回路（１２０）と、パワースイッチング素子の温度を検出する温度検出部（Ｄ）と、を備え、オン側回路およびオフ側回路の少なくとも一方の回路は、パワースイッチング素子のゲート電流を供給あるいは引き抜くための電流経路と、ゲート電流を切り替えるスイッチ回路（ＳＷ１〜ＳＷ５，ＳＷ６〜ＳＷ１０）と、を有し、オフ側回路は、出力トランジスタとして電流経路を形成する複数のメインＭＯＳトランジスタ（Ｔｒ１０〜Ｔｒ１５）と、メインＭＯＳトランジスタとゲートが共通で、メインＭＯＳトランジスタに対してカレントミラーを構成することによって、メインＭＯＳトランジスタのドレイン電流を規定するセンスＭＯＳトランジスタ（Ｔｒ２０）と、センスＭＯＳトランジスタのドレイン電流を一定に制御するセンス電流制御回路（ＳＣ）と、を有し、さらに、スイッチ回路は、メインＭＯＳトランジスタのゲートに接続され、メインＭＯＳトランジスタのオンオフを制御することによりパワースイッチング素子におけるゲート電流を切り替えるように構成され、該スイッチ回路は、ゲート電流の切り替え時において、パワースイッチング素子の温度に基づいてメインＭＯＳトランジスタのオン抵抗を制御し、ゲート電流を過渡的に変化させることを特徴としている。